(57)【特許請求の範囲】
【請求項１】
ビデオデータ及びオーディオデータを含むＡＶデータを送信する撮像装置と、前記撮像装置から送信された前記ＡＶデータを受信する記録装置とを含む記録システムであって、
前記撮像装置は、
前記ＡＶデータを送信する第１の通信手段と、
前記ＡＶデータを第１の記録媒体に記録する第１の記録手段と
を有し、
前記記録装置は、
前記ＡＶデータを受信する第２の通信手段と、
前記ＡＶデータを第２の記録媒体に記録する第２の記録手段と、
前記撮像装置の動作状態を示すデータを前記撮像装置から取得して、前記撮像装置の動作状態が記録状態であるか否かを判定する判定手段と
を有し、
前記撮像装置の動作状態が記録状態であると判定された場合、前記第２の記録手段は、前記ＡＶデータを前記第２の記録媒体に記録し、
前記撮像装置の動作状態が記録状態でないと判定された場合、前記第２の記録手段は、前記ＡＶデータの前記第２の記録媒体への記録を停止することを特徴とする記録システム。
【請求項２】
前記第１の通信手段及び前記第２の通信手段は、ＩＥＥＥ１３９４−１９９５規格に準拠した通信手段であることを特徴とする請求項１に記載の記録システム。
【請求項３】
前記記録装置は、前記撮像装置の動作状態を問い合わせるためのコマンドを前記撮像装置に送信することにより、前記撮像装置の動作状態を示すデータを前記撮像装置から取得することを特徴とする請求項１または２に記載の記録システム。
【請求項４】
ビデオデータ及びオーディオデータを含むＡＶデータを送信する第１の通信手段と、前記ＡＶデータを第１の記録媒体に記録する第１の記録手段とを有する撮像装置から送信された前記ＡＶデータを受信する第２の通信手段と、
前記ＡＶデータを第２の記録媒体に記録する第２の記録手段と、
前記撮像装置の動作状態を示すデータを前記撮像装置から取得して、前記撮像装置の動作状態が記録状態であるか否かを判定する判定手段と
を有し、
前記撮像装置の動作状態が記録状態であると判定された場合、前記第２の記録手段は、前記ＡＶデータを前記第２の記録媒体に記録し、
前記撮像装置の動作状態が記録状態でないと判定された場合、前記第２の記録手段は、前記ＡＶデータの前記第２の記録媒体への記録を停止することを特徴とする記録装置。
【請求項５】
前記第２の通信手段は、ＩＥＥＥ１３９４−１９９５規格に準拠した通信手段であることを特徴とする請求項４に記載の記録装置。
【請求項６】
前記撮像装置の動作状態を問い合わせるためのコマンドを前記撮像装置に送信することにより、前記撮像装置の動作状態を示すデータを前記撮像装置から取得することを特徴とする請求項４または５に記載の記録装置。
【発明の詳細な説明】
【０００１】
【発明の属する技術分野】
本発明は、ビデオデータ及びオーディオデータを含むＡＶデータ（Audio Video）を送信する撮像装置から送信された当該ＡＶデータを記録媒体に記録する記録装置に関する。
【０００２】
【従来の技術】
近年、ＩＥＥＥ１３９４−１９９５規格に準拠したディジタル通信インターフェースを（以下、ＩＥＥＥ１３９４インターフェース）を備えたカメラ一体型ディジタルビデオレコーダ（以下、撮像装置）が開発されている。ＩＥＥＥ１３９４インターフェースを備えた撮像装置では、カメラモードのときに、撮像装置が撮像しているＡＶデータをＩＥＥＥ１３９４インターフェースからディジタル出力することができる。
【０００３】
また、最近では、撮像装置が備えるＩＥＥＥ１３９４インターフェースからディジタル出力されたＡＶデータを記録する外部記録装置が開発されている。
【０００４】
【発明が解決しようとする課題】
しかしながら、従来の外部記録装置では、撮像装置が記録するＡＶデータと同じものを自動的に記録することができなかった。そのため、ユーザは、撮像装置に記録の開始を指示すると同時に、外部記録装置に記録の開始を指示しなければならず、操作が煩雑でユーザに与える負荷が大きいという問題あった。
【０００５】
本発明は、上述の問題にかんがみてなされたものであり、撮像装置が記録するＡＶデータを自動的に外部記録装置にも記録できるようにすることを目的とする。
【０００６】
【課題を解決するための手段】
本発明に係る記録システムは、ビデオデータ及びオーディオデータを含むＡＶデータを送信する撮像装置と、前記撮像装置から送信された前記ＡＶデータを受信する記録装置とを含む記録システムであって、前記撮像装置は、前記ＡＶデータを送信する第１の通信手段と、前記ＡＶデータを第１の記録媒体に記録する第１の記録手段とを有し、前記記録装置は、前記ＡＶデータを受信する第２の通信手段と、前記ＡＶデータを第２の記録媒体に記録する第２の記録手段と、前記撮像装置の動作状態を示すデータを前記撮像装置から取得して、前記撮像装置の動作状態が記録状態であるか否かを判定する判定手段とを有し、前記撮像装置の動作状態が記録状態であると判定された場合、前記第２の記録手段は、前記ＡＶデータを前記第２の記録媒体に記録し、前記撮像装置の動作状態が記録状態でないと判定された場合、前記第２の記録手段は、前記ＡＶデータの前記第２の記録媒体への記録を停止することを特徴とする。
【０００７】
本発明に係る記録装置は、ビデオデータ及びオーディオデータを含むＡＶデータを送信する第１の通信手段と、前記ＡＶデータを第１の記録媒体に記録する第１の記録手段とを有する撮像装置から送信された前記ＡＶデータを受信する第２の通信手段と、前記ＡＶデータを第２の記録媒体に記録する第２の記録手段と、前記撮像装置の動作状態を示すデータを前記撮像装置から取得して、前記撮像装置の動作状態が記録状態であるか否かを判定する判定手段とを有し、前記撮像装置の動作状態が記録状態であると判定された場合、前記第２の記録手段は、前記ＡＶデータを前記第２の記録媒体に記録し、前記撮像装置の動作状態が記録状態でないと判定された場合、前記第２の記録手段は、前記ＡＶデータの前記第２の記録媒体への記録を停止することを特徴とする。
【０００９】
【発明の実施の形態】
以下、図面を参照して本発明の実施の形態について説明する。
【００１０】
図１は、本実施の形態に係る記録システムを説明する図である。図１において、１００はカメラ一体型ディジタルビデオレコーダ（以下、撮像装置）であり、１２０は撮像装置１００からディジタル出力されたＡＶデータを記録する外部記録装置である。
【００１１】
次に、図１を用いて、本実施の形態に係る撮像装置１００の構成について説明する。図１において、１０１は撮像部、１０２はマイクロフォン、１０３は記録再生部、１０４は記録媒体、１０５は制御部、１０６は通信部、１０７は操作部である。
【００１２】
撮像装置１００は、カメラモードとＶＣＲモードを備える。ユーザは、操作部１０７を操作してカメラモードまたはＶＣＲモードを選択することができる。
【００１３】
カメラモードが選択された場合、制御部１０８は、撮像部１０１とマイクロフォン１０２とを動作させてＡＶデータの撮像を開始し、記録再生部１０３を記録状態または記録一時停止状態とする。このとき、通信部１０６に外部記録装置１２０が接続されている場合、制御部１０８は、記録再生部１０３で生成されたＡＶデータを通信部１０６からディジタル出力する。尚、このモードのとき、ユーザは、操作部１０７を操作して記録再生部１０３を記録状態または記録一時停止状態とすることができる。
【００１４】
また、ＶＣＲモードが選択された場合、制御部１０８は、撮像部１０１とマイクロフォン１０２との動作を停止させ、記録再生部１０３を動作させる。尚、このモードのとき、ユーザは、操作部１０７を操作して記録媒体１０４に記録されたＡＶデータを再生、再生一時停止、早送りまたは巻戻しすることできる。
【００１５】
撮像部１０１は、カメラモードのとき、被写体の光学像を撮像してディジタルビデオデータを生成する。撮像部１０１で生成されたディジタルビデオデータは、記録再生部１０３に供給される。また、マイクロフォン１０２は、カメラモードのとき、外部の音声を集音してディジタルオーディオデータを生成する。マイクロフォン１０２で生成されたディジタルオーディオデータは、記録再生部１０３に供給される。
【００１６】
記録再生部１０３は、HD DIGITAL VCR CONFERENCEで策定された家庭用ディジタルＶＣＲ方式（以下、ＤＶ方式）で規定されたデータフォーマット（例えば、ＳＤ（Standard Definition）フォーマット）に準拠したＡＶデータを生成する。このＡＶデータは、撮像部１０１で生成されたディジタルビデオデータと、マイクロフォン１０２で生成されたディジタルオーディオデータと、それらに関する付加データとを含む。
【００１７】
記録再生部１０３が記録媒体１０４に記録するＡＶデータまたは記録再生部１０３が記録媒体１０４から再生したＡＶデータは、通信部１０６に供給される。
【００１８】
通信部１０６は、ＩＥＥＥ１３９４−１９９５規格に準拠したディジタル通信インターフェースを備える。通信部１０６に外部記録装置１２０が接続されて通信部１０６がディジタル出力可能な状態になった場合、通信部１０６は、所定の通信プロトコル（例えば、ＩＥＣ６１８８３規格に準拠した通信プロトコル）に従って、記録再生部１０３から供給されたＡＶデータをディジタル出力する。
【００１９】
本実施の形態の撮像装置１００が、ＩＥＣ６１８８３規格に準拠した通信プロトコルに従って、５２５−６０方式（ＮＴＳＣ方式）のＳＤフォーマットに準拠したＡＶデータをディジタル出力する手順を、図３を用いて説明する。
【００２０】
まず、通信部１０６は、図３（ａ）及び（ｂ）に示すように、記録再生部１０３から供給された１フレーム分のＡＶデータから１０個のＤＩＦシーケンスを生成する。各ＤＩＦシーケンスは、図３（ｃ）に示すように、ヘッダセクション、サブコードセクション、ＶＡＵＸセクション、オーディオ＆ビデオセクションから構成される。尚、ディジタルビデオデータとディジタルオーディオデータは、オーディオ＆ビデオセクションに格納されている。
【００２１】
次に、通信部１０６は、図３（ｄ）及び（ｅ）に示すように、各ＤＩＦシーケンスから１５０個のＤＩＦブロックを生成し、６個のＤＩＦブロックごとにアイソクロナスパケットを生成する。各アイソクロナスパケットは、ＩＥＥＥ１３９４−１９９５規格で規定されたアイソクロナス転送方式に従って、１２５μｓごとにディジタル出力される。
【００２２】
次に、図１を用いて、本実施の形態に係る外部記録装置１２０の構成について説明する。図１において、１２１は通信部、１２２は記録部、１２３は記録媒体、１２４は操作部、１２５は制御部である。
【００２３】
通信部１２１は、通信部１０６と同様に、ＩＥＥＥ１３９４−１９９５規格に準拠したディジタル通信インターフェースを備える。通信部１２１は、所定の通信プロトコル（例えば、ＩＥＣ６１８８３規格に準拠した通信プロトコル）に従って、撮像装置１００の通信部１０６からディジタル出力されたＡＶデータをディジタル入力する。通信部１２１は、図３（ｅ）に示すアイソクロナスパケットを１２５μｓごとに受信し、図３（ａ）に示すＡＶデータを生成して記録部１２２に供給する。
【００２４】
記録部１２２は、通信部１２１から供給されたＡＶデータを記録媒体１２３に記録する。尚、外部記録装置１２０が記録媒体１２３に記録するＡＶデータのデータフォーマットは、撮像装置１００が記録媒体１０４に記録するＡＶデータのデータフォーマットと同じである。また、本実施の形態において、記録媒体１２３は、磁気ディスク、光ディスク、ハードディスク等の記録媒体である。
【００２５】
次に、図２を用いて、本実施の形態に係る外部記録装置１２０の処理手順について説明する。尚、制御部１２５が備える記憶媒体には、制御部１２５が備えるマイクロコンピュータに図２に示す処理手順を実行させるための制御プログラムが格納されている。
【００２６】
まず、ステップＳ２０１において、制御部１２５は、通信部１２１がディジタル入力可能な状態になったか否かを判別する。撮像装置１００が通信部１２１に接続された場合、通信部１２１はディジタル入力可能な状態になったことを制御部１２５に通知する。
【００２７】
次に、ステップＳ２０２において、制御部１２５は、撮像装置１００の現在の動作状態を検出する。具体的に説明すると、まず、制御部１２５は、現在の動作状態を問い合わせるためのコマンドを生成し、そのコマンドを撮像装置１００に送信する。撮像装置１００の制御部１０５は、現在の動作状態を検出して現在の動作状態を示すデータを格納したレスポンスを生成し、そのレスポンスを外部記録装置１２０に送信する。尚、上述のコマンド及びレスポンスは、例えば、ＩＥＣ６１８８３規格に準拠した通信プロトコルに従ってディジタル出力される。
【００２８】
ステップＳ２０３において、制御部１２５は、撮像装置１００の現在の動作状態が記録状態であるか否かを判別する。記録状態である場合には、ステップＳ２０４に進み、それ以外である場合には、ステップＳ２０５に進む。
【００２９】
ステップＳ２０４において、制御部１２５は、通信部１２１を制御して撮像装置１００からディジタル出力されたＡＶデータを入力するとともに、記録部１２２を制御して通信部１２１から供給されたＡＶデータを記録媒体１２３に記録する。所定時間経過した後、制御部１２５はステップＳ２０１に進み、撮像装置１００の現在の動作状態を再度検出する。
【００３０】
一方、ステップＳ２０５において、制御部１２５は、記録部１２２を制御して通信部１２１から供給されたＡＶデータの記録を停止する。所定時間経過した後、制御部１２５はステップＳ２０１に進み、撮像装置１００の現在の動作状態を再度検出する。
【００３１】
以上説明したように、本実施の形態に係る外部記録装置１２０によれば、撮像装置１００の動作状態を周期的に検出し、撮像装置１００が記録状態である場合には、撮像装置１００からディジタル出力されたＡＶデータを記録し、撮像装置１００が記録状態でない場合には、撮像装置１００からディジタル出力されたＡＶデータを記録しないようにすることができるので、撮像装置１００が記録するＡＶデータと同じものを自動的に記録することができる。また、撮像装置１００と外部記録装置１２０の双方を同時に操作しなくてもよくなるるので、ユーザの負担を軽減することができる。
【００３２】
なお、上記実施の形態において示した各部の形状及び構造は、何れも本発明を実施するにあたっての具体化のほんの一例を示したものに過ぎず、これらによって本発明の技術的範囲が限定的に解釈されてはならないものである。すなわち、本発明は、その主要な特徴から逸脱することなく、様々な形で実施することができる。
【００３３】
例えば、本実施の形態に係るＡＶデータのデータフォーマットは、ＤＶ方式に準拠したデータフォーマットに限るものではない。ＭＰＥＧ２のトランスポートストリーム方式に準拠したデータフォーマットであってもよい。
【００３４】
また、上述した実施の形態の機能を実現するべく各種のデバイスを動作させるように、該各種デバイスと接続された装置或いはシステム内のコンピュータに対し、上記実施の形態の機能を実現するためのソフトウェアのプログラムコードを供給し、そのシステム或いは装置のコンピュータ（ＣＰＵ或いはＭＰＵ）に格納されたプログラムに従って上記各種デバイスを動作させることによって実施したものも、本発明の範疇に含まれる。
【００３５】
また、この場合、上記ソフトウェアのプログラムコード自体が上述した実施の形態の機能を実現することになり、そのプログラムコード自体、及びそのプログラムコードをコンピュータに供給するための手段、例えばかかるプログラムコードを格納した記録媒体は本発明を構成する。かかるプログラムコードを記憶する記録媒体としては、例えばフロッピーディスク、ハードディスク、光ディスク、光磁気ディスク、ＣＤ−ＲＯＭ、磁気テープ、不揮発性のメモリカード、ＲＯＭ等を用いることができる。
【００３６】
また、コンピュータが供給されたプログラムコードを実行することにより、上述の実施の形態の機能が実現されるだけでなく、そのプログラムコードがコンピュータにおいて稼働しているＯＳ（オペレーティングシステム）或いは他のアプリケーションソフト等と共同して上述の実施の形態の機能が実現される場合にもかかるプログラムコードは本発明の実施の形態に含まれることはいうまでもない。
【００３７】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部又は全部を行い、その処理によって上述した実施の形態の機能が実現される場合にも本発明に含まれることはいうまでもない。
【００３８】
【発明の効果】
以上説明したように、本発明によれば、撮像装置が記録するＡＶデータを自動的に外部記録装置にも記録することができる。
【図面の簡単な説明】
【図１】本実施の形態に係る記録システムを説明するブロック図である。
【図２】本実施の形態に係る外部記録装置の処理動作を説明するフローチャートである。
【図３】本実施の形態に係る撮像装置からディジタル出力されるＡＶデータを説明する図である。
【符号の説明】
１０１  撮像部
１０２  マイクロフォン
１０３  記録再生部
１０４  記録媒体
１０５  制御部
１０６  通信部
１０７  操作部
１２０  外部記録装置
１２１  通信部
１２２  記録部
１２３  記録媒体
１２４  操作部
１２５  制御部
【図１】
0004371590.tif 000002
【図２】
0004371590.tif 000003
【図３】
0004371590.tif 000004